(57)【特許請求の範囲】
【請求項１】
複数の駆動可能な電力半導体スイッチを備えた変換器（２）と、３相のＡＣ電圧システム（１）を有し、駆動可能な電力半導体スイッチは制御信号（ＳＲ）から形成される駆動信号（ＳＡ）により駆動され、制御信号（ＳＲ）はＡＣ電圧システム電流のＨ番目（Ｈ＝１、２、３…である）の高調波成分（ｉＮＨ）をＡＣ電圧システム電流設定点値（ｉＮＨｒｅｆ）に調節することにより形成される変換器回路の動作方法において、
ＡＣ電圧システム電流設定点値（ｉＮＨｒｅｆ）はＡＣ電圧システム電圧のＨ番目の高調波成分（ｕＮＨ）を予め決定可能なＡＣ電圧システム電圧設定点値（ｕＮＨｒｅｆ）へ調節することにより形成される際に、ＡＣ電圧システム電流設定点値（ｉＮＨｒｅｆ）は、ＡＣ電圧システム電圧のＨ番目の高調波成分（ｕＮＨ）とＡＣ電圧システム電圧設定点値（ｕＮＨｒｅｆ）からの制御差（ｕＮＨｄｉｆｆ）がＨ番目の高調波成分（ｕＮＨ）に関して決定されたＡＣ電圧システムインピーダンス（ｙＮＨ）によって加重されて形成されることを特徴とする方法。
【請求項２】
Ｈ番目の高調波成分に関して、しきい値（ｕＮＨＴｏｌ）方向へのＡＣ電圧システム電圧の変化の絶対値（｜ΔｕＮＨ｜）が監視され、
しきい値（ｕＮＨＴｏｌ）が超過される度に、ＡＣ電圧システムインピーダンス（ｙＮＨ）が決定されることを特徴とする請求項１記載の方法。
【請求項３】
ＡＣ電圧システムインピーダンス（ｙＮＨ）はＨ番目の高調波成分に関するＡＣ電圧システム電圧の変化（ΔｕＮＨ）とＡＣ電圧システム電流の変化（ΔｉＮＨ）から決定されることを特徴とする請求項２記載の方法。
【請求項４】
ＡＣ電圧システム電圧のＨ番目の高調波成分（ｕＮＨ）はＡＣ電圧システム電圧（ｕＮｄ、ｕＮｑ）のパーク-クラーク変換から形成されることを特徴とする請求項１乃至３のいずれか１項記載の方法。
【請求項５】
ＡＣ電圧システム電圧（ｕＮｄ、ｕＮｑ）のパーク-クラーク変換はＡＣ電圧システム電圧（ｕＮα、ｕＮβ）の空間ベクトル変換から形成されることを特徴とする請求項４記載の方法。
【請求項６】
ＡＣ電圧システム電流のＨ番目の高調波成分（ｉＮＨ）はＡＣ電圧システム電流（ｉＮｄ、ｉＮｑ）のパーク-クラーク変換から形成されることを特徴とする請求項１乃至５のいずれか１項記載の方法。
【請求項７】
ＡＣ電圧システム電流（ｉＮｄ、ｉＮｑ）のパーク-クラーク変換はＡＣ電圧システム電流（ｉＮα、ｉＮβ）の空間ベクトル変換から形成されることを特徴とする請求項６記載の方法。
【請求項８】
ＡＣ電圧システム電圧のＨ番目の高調波成分（ｕＮＨ）を予め決定可能なＡＣ電圧システム電圧設定点値（ｕＮＨｒｅｆ）へ調節することは、比例／積分特性にしたがって行われることを特徴とする請求項１乃至７のいずれか１項記載の方法。
【請求項９】
ＡＣ電圧システム電圧のＨ番目の高調波成分（ｕＮＨ）を予め決定可能なＡＣ電圧システム電圧設定点値（ｕＮＨｒｅｆ）へ調節することは、反復的に速示特性にしたがって行われることを特徴とする請求項１乃至７のいずれか１項記載の方法。
【請求項１０】
複数の駆動可能な電力半導体スイッチを有する変換器（２）を備え、３相のＡＣ電圧システムに接続されている変換器回路を動作する方法を実行する装置において、
制御信号（ＳＲ）を発生するために使用される制御装置（４）は駆動信号（ＳＡ）を形成するための駆動回路（３）を介して駆動可能な電力半導体スイッチに接続されており、制御装置（４）はＡＣ電圧システム電流のＨ番目の高調波成分（ｉＮＨ）をＡＣ電圧システム電流設定点値（ｉＮＨｒｅｆ）に調節することにより制御信号（ＳＲ）を形成する第１の制御装置（５）を有しており、ここでＨ＝１、２、３…であり、
前記制御装置（４）は、ＡＣ電圧システム電圧のＨ番目の高調波成分（ｕＮＨ）を予め決定可能なＡＣ電圧システム電圧設定点値（ｕＮＨｒｅｆ）へ調節することによりＡＣ電圧システム電流設定点値（ｉＮＨｒｅｆ）を形成する第２の制御装置（６）を有し、ＡＣ電圧システム電流設定点値（ｉＮＨｒｅｆ）は、ＡＣ電圧システム電圧のＨ番目の高調波成分（ｕＮＨ）とＡＣ電圧システム電圧設定点値（ｕＮＨｒｅｆ）からの制御差（ｕＮＨｄｉｆｆ）がＨ番目の高調波成分（ｕＮＨ）に関して決定されたＡＣ電圧システムインピーダンス（ｙＮＨ）により加重されて形成されることを特徴とする装置。
【請求項１１】
前記制御装置（４）はＡＣ電圧システム電圧（ＵＮα、ＵＮβ）の空間ベクトル変換からＡＣ電圧システム電圧（ＵＮｄ、ＵＮｑ）のパーク-クラーク変換を形成し、ＡＣ電圧システム電圧（ＵＮｄ、ＵＮｑ）のパーク-クラーク変換からＡＣ電圧システム電圧のＨ番目の高調波成分（ＵＮＨ）を形成するための第１の計算装置（７）を有していることを特徴とする請求項１０記載の装置。
【請求項１２】
前記制御装置（４）は、ＡＣ電圧システム電圧（ＵＮα、ＵＮβ）の空間ベクトル変換を形成するための第２の計算装置（８）を有している請求項１１記載の装置。
【請求項１３】
前記制御装置（４）はＡＣ電圧システム電流（ｉＮα、ｉＮβ）の空間ベクトル変換からＡＣ電圧システム電流（ｉＮｄ、ｉＮｑ）のパーク-クラーク変換を形成し、ＡＣ電圧システム電流（ｉＮｄ、ｉＮｑ）のパーク-クラーク変換からＡＣ電圧システム電流のＨ番目の高調波成分（ｉＮＨ）を形成するための第３の計算装置（９）を具備していることを特徴とする請求項１０乃至１２のいずれか１項記載の装置。
【請求項１４】
前記制御装置（４）はＡＣ電圧システム電流（ｉＮα、ｉＮβ）の空間ベクトル変換を形成するための第４の計算装置（10）を有していることを特徴とする請求項１３記載の装置。
【請求項１５】
ＡＣ電圧システム電圧のＨ番目の高調波成分（ｕＮＨ）を予め決定可能なＡＣ電圧システム電圧設定点値（ｕＮＨｒｅｆ）へ調節するための第２の制御装置（６）は別の１つの制御装置（11）を具備していることを特徴とする請求項１０乃至１４のいずれか１項記載の装置。
【発明の詳細な説明】
【技術分野】
【０００１】
本発明は電力電子装置の分野に関する。これは独立請求項の前置きによる変換器回路の動作方法及びこの方法を実行するための装置に基づいている。
【背景技術】
【０００２】
通常の変換器回路は少なくとも２つの切換え電圧レベルを切換えるため、既知の方法で相互に接続されている多数の駆動可能な電力半導体スイッチを具備している。典型的に、このような変換器装置は特に３相設計であるＡＣ電圧システムに接続されている。このような変換器回路はしばしば産業施設で使用されており、変換器回路が電力供給システムに結合されており、したがってさらに別の使用分野および可能な使用が考えられる。
【０００３】
変換器回路の動作では、システム電流のＨ番目の高調波成分をシステム電流設定点値に調節することにより制御信号を形成するための制御装置を有する装置が設けられ、その制御装置は制御信号から駆動信号を形成するための駆動回路を介して駆動可能な電力半導体スイッチへ接続され、Ｈ番目の高調波成分は変換器回路により発生され、通常はＨ＝１、２、３…等である。Ｈの典型的な値はＨ＝５、７、１１、１３である。駆動信号はそれ故電力半導体スイッチを駆動するために使用される。
【０００４】
変換器回路を動作するための前述の方法は、制御装置によってシステム電流のＨ番目の高調波成分をシステム電流設定点にするように調節することを可能にしている。しかしながら、ＡＣ電圧システムでは、システム電流中の高調波成分に加えて、高調波成分がシステム電圧で生じることが可能であるが、それは前述の既知の方法によっては調節されることはできず、それ故それを減少させることができない。
【発明の概要】
【０００５】
それ故、本発明の１目的は変換器回路の動作方法を特定することであり、それによって変換器回路に接続されたＡＣ電圧システムのシステム電圧中の高調波成分を減少させることができる。本発明のさらに別の目的は特定の簡単な方法で実行することができる装置を特定することである。
【０００６】
これらの目的はそれぞれ請求項１と請求項１０の特徴により解決される。本発明の有効な発展形態は従属請求項で与えられている。
【０００７】
変換器回路は多数の駆動可能な電力半導体スイッチを有する変換器装置を有し、３相のＡＣ電圧システムに接続されている。変換器回路を動作する本発明による方法では、駆動可能な電力半導体スイッチは制御信号から形成された駆動信号により駆動され、制御信号はシステム電流のＨ番目の高調波成分をシステム電流設定点値へ調節することにより形成され、ここでＨ＝１、２、３…である。本発明によれば、システム電流設定点値はシステム電圧のＨ番目の高調波成分をシステム電圧設定点値へ調節することにより形成され、システム電圧のＨ番目の高調波成分とシステム電圧設定点値からの制御差はＨ番目の高調波成分に関して決定されるシステムインピーダンスにより加重されている。したがってシステム電圧の対応するＨ番目の高調波成分はシステム電流設定点値の形成に直接影響し、システム電圧のＨ番目の高調波成分は所望の程度まで有効に減少されることができる。システムインピーダンスは典型的に時間にわたって変化し、これは最終的に制御パスの変化に対応するので、調節に関係される制御装置はその制御装置のパラメータに関して毎回、変更されたシステムインピーダンスに一致されるかまたはリセットされる必要がある。しかしながら上記本発明によれば、システムインピーダンスは制御装置の入力に直接影響し、それ故調節に直接影響し、制御差がシステムインピーダンスにより加重されている結果として制御装置の制御装置パラメータのこのような一致またはリセットといった調節のために制御装置の再設計を行う必要はなくなる。
【０００８】
変換器回路の動作方法を実行するための本発明による装置は、制御信号ＳＲを発生するために使用される制御装置を有し、その制御装置は駆動信号を形成するための駆動回路を介して駆動可能な電力半導体スイッチに接続され、制御装置はシステム電流のＨ番目の高調波成分をシステム電流設定点値へ調節することにより制御信号を形成するための第１の制御装置を有し、ここでＨ＝１、２、３…である。本発明によれば、制御装置はシステム電圧のＨ番目の高調波成分を予め決定可能なシステム電圧設定点値へ調節することによりシステム電流設定点値を形成するための第２の制御装置を有し、システム電圧のＨ番目の高調波成分とシステム電圧設定点値からの制御差はＨ番目の高調波成分に関して決定されるシステムインピーダンスにより加重されている。回路に関係する複雑性は非常に低くされることができ、さらに少数のコンポーネントしか設計に必要とされないので、変換器回路の動作方法を実行するための本発明による装置はそれ故、非常に簡単で廉価に実現されることができる。本発明による方法はそれ故、この装置により特に簡単な方法で実行されることができる。
【０００９】
本発明のこれらの目的及びさらに別の目的、効果、特徴は図面を伴った本発明の好ましい実施形態の以下の詳細な説明から明白になるであろう。
【図面の簡単な説明】
【００１０】
【図１】変換器回路を動作するための本発明による方法を実行する本発明による装置の１実施形態を示す図。
【図２】本発明による制御装置の１実施形態を示す図。
【図３】システム電圧のＨ番目の高調波成分の絶対値の時間プロフィールを示す図。
【発明を実施するための形態】
【００１１】
図面で使用されている参照符合とそれらの意味が参照符合のリスト中にまとめて記載されている。原理的に、同一の部分には図面では同じ参照符合が設けられている。記載されている実施形態は本発明の主題の例示であり、限定ではない。  
図１は変換器回路を動作するための本発明による方法を実行する本発明による装置の１実施形態を示している。図１に示されているように、変換器回路は多数の駆動可能な電力半導体スイッチを備え、３相のＡＣ電圧システムに接続されている変換器２を有している。変換器回路は通常２以上のＤＣ切換え電圧レベルを切換えるための任意の形態の変換器２（マルチレベル変換器回路）であることができることを述べておく。変換器回路を動作するための本発明による方法では、駆動可能な電力半導体スイッチは制御信号ＳＲから形成される駆動信号ＳＡにより駆動され、制御信号ＳＲはシステム電流のＨ番目の高調波成分ｉＮＨをシステム電流設定点値ｉＮＨｒｅｆに調節することにより形成され、ここでＨ＝１、２、３…である。本発明によれば、システム電流設定点値ｉＮＨｒｅｆはシステム電圧のＨ番目の高調波成分ｕＮＨを予め決定可能なシステム電圧設定点ｕＮＨｒｅｆへ調節することにより形成され、システム電圧のＨ番目の高調波成分ｕＮＨとシステム電圧設定点ｕＮＨｒｅｆからの制御差ｕＮＨｄｉｆｆはＨ番目の高調波成分に関して決定されたシステムインピーダンスｙＮＨにより加重されている。したがってシステム電圧の対応するＨ番目の高調波成分ｕＮＨはシステム電流設定点値ｉＮＨｒｅｆの形成に直接影響し、その結果システム電圧のＨ番目の高調波成分は所望の程度まで有効に減少されることができる。制御差がシステムインピーダンスにより加重されている結果として、システムインピーダンスｙＮＨは制御装置の入力に直接影響し、それ故調節に直接影響するので、調節に関係する制御装置の制御装置パラメータの整合またはリセットと、さらに典型的に時間にわたって変化するシステムインピーダンスｙＮＨによる制御装置の再設計は不要である利点がある。
【００１２】
システム電圧のＨ番目の高調波成分ｕＮＨの絶対値の時間プロフィールが図３に示されており、これは時間ｔにわたるＨ番目の高調波成分の減少を示している。
【００１３】
システムインピーダンスｙＮＨは典型的にＨ番目の高調波成分に関して時間にわたって変化することができるので、システム電圧の変化の絶対値｜ΔｕＮＨ｜は好ましくはしきい値ｕＮＨＴｏｌに関して監視される。しきい値ｕＮＨＴｏｌが超過される度に、システムインピーダンスｙＮＨは再決定される。システムインピーダンスｙＮＨを決定するため、例えばＨ番目の高調波成分に関する現在のシステム電圧変化ΔｕＮＨとＨ番目の高調波成分に関する現在のシステム電流変化ΔｉＮＨが確かめられ、その後システムインピーダンスｙＮＨは計算によりこの値から決定される。例えば測定のようなシステムインピーダンスｙＮＨを決定する他の可能な方法も考えられることを述べておく。
【００１４】
好ましくはシステム電圧のＨ番目の高調波ｕＮＨはシステム電圧ｕＮｄとｕＮｑのパーク-クラーク変換から形成され、ｕＮｄとｕＮｑはシステム電圧のパーク-クラーク変換の対応する成分である。
【００１５】
パーク-クラーク変換は通常次式により規定される。  
／ｘ＝（ｘｄ＋ｊｘｑ）ｅｊωｔ 
ここで／ｘは通常、複素変数であり、ｘｄは変数／ｘのパーク-クラーク変換のｄ成分であり、ｘｑは変数／ｘのパーク-クラーク変換のｑ成分である。複素変数／ｘの基本波だけではなく、生じる複素変数／ｘの全ての高調波がパーク-クラーク変換で変換される利点がある。それ故Ｈ番目の高調波成分も含まれ、簡単な濾波により抽出されることができる。
【００１６】
本発明による方法に関して、システム電圧値ｕＮｄおよびｕＮｑのパーク-クラーク変換は有効に、システム電圧ｕＮαおよびｕＮβの空間ベクトル変換により形成され、即ちシステム電圧ｕＮａ、ｕＮｂ、ｕＮｃは空間ベクトル変換により変換される。
【００１７】
空間ベクトル変換は次式のように規定される。  
／ｘ＝ｘα＋ｊｘβ 
ここで／ｘは通常、複素変数であり、ｘα変数／ｘの空間ベクトル変換のα成分であり、ｘβは変数／ｘの空間ベクトル変換のβ成分である。
【００１８】
好ましくはシステム電流のＨ番目の高調波成分ｉＮＨはシステム電流ｉＮｄおよびｉＮｑのパーク-クラーク変換から形成され、ｉＮｄとｉＮｑはシステム電流のパーク-クラーク変換の対応する成分である。さらに、システム電流ｉＮｄとｉＮｑのパーク-クラーク変換はシステム電流ｉＮαとｉＮβの空間ベクトル変換から形成され、即ちシステム電流ｉＮａとｉＮｂとｉＮｃは空間ベクトル変換により変換される。
【００１９】
既に述べたようにシステム電圧のＨ番目の高調波成分ｕＮＨを予め決定可能なシステム電圧設定点値ｕＮＨｒｅｆに調節することは、簡単さを特徴とする比例／積分特性にしたがって行われることが好ましい。しかしながら代わりに、システム電圧のＨ番目の高調波成分ｕＮＨを予め決定可能なシステム電圧設定点ｕＮＨｒｅｆに調節することが反復的に速示（dead-beat）特性にしたがって行われることも考えられる。反復による速示特性にしたがった調節では、次式が形成に使用されることが好ましい。  
ｉＮＨｒｅｆ＝ｉＮＨｒｅｆ，ｏｌｄ＋（ｕＮＨ−ｕＮＨｒｅｆ）・ｙＮＨ・ｋ  
システム電流設定点値ｉＮＨｒｅｆは各反復ステップで再形成され、ｉＮＨｒｅｆ，ｏｌｄは先行する反復ステップのシステム電流設定点値であり、ｋは補正係数であり、これは有効に０．１から１の程度の大きさであるように選択される。しかしながら任意の他の制御特性も考えられることを述べておく。
【００２０】
既に述べたように、図１は変換器回路を動作するための本発明による方法を実行する本発明による装置の１実施形態を示している。図１に示されているように、制御信号ＳＲを発生するために使用される制御装置４は駆動信号ＳＡを形成するため駆動回路３を介して変換器２の駆動可能な電力半導体スイッチに接続されている。図２は、システム電流のＨ番目の高調波成分ｉＮＨをシステム電流設定点値ｉＮＨｒｅｆに調節することにより制御信号ＳＲを形成するための第１の制御装置５を有する本発明による制御装置４の１実施形態を示しており、ここでＨ＝１、２、３…である。本発明によれば、制御装置４は、システム電圧のＨ番目の高調波成分ｕＮＨを予め決定可能なシステム電圧設定点ｕＮＨｒｅｆへ調節することによりシステム電流設定点値ｉＮＨｒｅｆを形成する第２の制御装置６を有し、システム電圧のＨ番目の高調波成分ｕＮＨとシステム電圧設定点ｕＮＨｒｅｆからの制御差ｕＮＨｄｉｆｆはＨ番目の高調波成分に関して決定されるシステムインピーダンスｙＮＨにより加重されている。
【００２１】
システム電圧のＨ番目の高調波成分ｕＮＨを予め決定可能なシステム電圧設定点値ｕＮＨｒｅｆへ調節する第２の制御装置６は図２に示されるように制御装置11を具備し、この制御装置11は例えば（既に前述した）対応する特性を有する比例／積分制御装置の形態であるかまたは（既に前述した）対応する特徴を有する速示制御装置の形態であることができる。しかしながら、その対応する制御特性を有する任意の他の制御装置も考えられることができる。
【００２２】
図２によれば、制御装置４はシステム電圧ＵＮα、ＵＮβの空間ベクトル変換からシステム電圧ＵＮｄ、ＵＮｑのパーク-クラーク変換を形成し、システム電圧ＵＮｄ、ＵＮｑのパーク-クラーク変換からシステム電圧のＨ番目の高調波成分ＵＮＨを形成するための第１の計算装置７を付加的に有する。
【００２３】
さらに、図２によれば、制御装置４はシステム電圧ＵＮα、ＵＮβの空間ベクトル変換を形成するための第２の計算装置８を有する。さらに制御装置４はシステム電流ｉＮｄ、ｉＮｑの空間ベクトル変換からシステム電流ｉＮｄ、ｉＮｑのパーク-クラーク変換を形成し、システム電流ｉＮｄ、ｉＮｑのパーク-クラーク変換からシステム電流のＨ番目の高調波成分ｉＮＨを形成するための第３の計算装置９を具備している。制御装置４はさらにシステム電流ｉＮα、ｉＮβの空間ベクトル変換を形成するための第４の計算装置10を有している。
【００２４】
詳細に前述した方法と、この方法を実行するための関連装置はシステム電圧のＨ番目の高調波成分ＵＮＨを減少させる。言うまでもなく、例えばシステム電圧の複数の高調波成分を減少させるために、対応する方法ステップを有する前述の方法は各これらの各高調波成分に対して別々に実行される。方法を実行するための装置に関しては、高調波成分を減少するために、前述したように関連される装置がこれらの各高調波成分で必要とされる。
【００２５】
本発明による方法の全てのステップは、ソフトウェアとして実行されることができ、前記ソフトウェアはその後、例えば特にデジタル信号プロセッサによりコンピュータシステムにロードされ、前記コンピュータシステムで実行されることができる。さらに、詳細に説明した本発明の装置はコンピュータシステムにおいて、特にデジタル信号プロセッサにおいて構成されることもできる。
【００２６】
全体的に、特に図１および２で示されている本発明による装置は、回路の複雑性が非常に低く維持され、少数のコンポーネントしか設計に必要とされないので、非常に簡単で価格が効率的に実現されることができる。本発明による方法はそれ故、この装置を使用して特に簡単な方法で実行されることができる。
以下に、本出願時の特許請求の範囲に記載された発明を付記する。
[１]  複数の駆動可能な電力半導体スイッチを備えた変換器（２）と、３相のＡＣ電圧システム（１）を有し、駆動可能な電力半導体スイッチは制御信号（ＳＲ）から形成される駆動信号（ＳＡ）により駆動され、制御信号（ＳＲ）はシステム電流のＨ番目（Ｈ＝１、２、３…である）の高調波成分（ｉＮＨ）をシステム電流設定点値（ｉＮＨｒｅｆ）に調節することにより形成される変換器回路の動作方法において、
システム電流設定点値（ｉＮＨｒｅｆ）はシステム電圧のＨ番目の高調波成分（ｕＮＨ）を予め決定可能なシステム電圧設定点値（ｕＮＨｒｅｆ）へ調節することにより形成され、システム電圧のＨ番目の高調波成分（ｕＮＨ）とシステム電圧設定点（ｕＮＨｒｅｆ）からの制御差（ｕＮＨｄｉｆｆ）はＨ番目の高調波成分に関して決定されたシステムインピーダンス（ｙＮＨ）によって加重されることを特徴とする方法。
[２]  Ｈ番目の高調波成分に関して、しきい値（ｕＮＨＴｏｌ）方向へのシステム電圧の変化の絶対値（｜ΔｕＮＨ｜）が監視され、
しきい値（ｕＮＨＴｏｌ）が超過される度に、システムインピーダンス（ｙＮＨ）が決定されることを特徴とする前記[１]記載の方法。
[３]  システムインピーダンス（ｙＮＨ）はＨ番目の高調波成分に関するシステム電圧の変化（ΔｕＮＨ）とシステムの電流変化（ΔｉＮＨ）から決定されることを特徴とする前記[１]記載の方法。
[４]  システム電圧のＨ番目の高調波成分（ｕＮＨ）はシステム電圧（ｕＮｄ）と（ｕＮｑ）のパーク-クラーク変換から形成されることを特徴とする前記[１]乃至[３]のいずれか１項記載の方法。
[５]  システム電圧値（ｕＮｄ、ｕＮｑ）のパーク-クラーク変換はシステム電圧（ｕＮα、ｕＮβ）の空間ベクトル変換から形成されることを特徴とする前記[４]記載の方法。
[６]  システム電流のＨ番目の高調波成分（ｉＮＨ）はシステム電流（ｉＮｄ、ｉＮｑ）のパーク-クラーク変換から形成されることを特徴とする前記[１]乃至[５]のいずれか１項記載の方法。
[７]  システム電流（ｉＮｄ、ｉＮｑ）のパーク-クラーク変換はシステム電流（ｉＮα、ｉＮβ）の空間ベクトル変換から形成されることを特徴とする前記[６]記載の方法。
[８]  システム電圧のＨ番目の高調波成分（ｕＮＨ）の予め決定可能なシステム電圧設定点値（ｕＮＨｒｅｆ）への調節は、比例／積分特性にしたがって行われることを特徴とする前記[１]乃至[７]のいずれか１項記載の方法。
[９]  システム電圧のＨ番目の高調波成分（ｕＮＨ）の予め決定可能なシステム電圧設定点値（ｕＮＨｒｅｆ）への調節することは、反復的に速示特性にしたがって行われることを特徴とする前記[１]乃至[７]のいずれか１項記載の方法。
[１０]  複数の駆動可能な電力半導体スイッチを有する変換器（１）を備え、３相のＡＣ電圧システムに接続されている変換器回路を動作する方法を実行する装置において、
制御信号（ＳＲ）を発生するために使用される制御装置（４）は駆動信号（ＳＡ）を形成するための駆動回路（３）を介して駆動可能な電力半導体スイッチに接続されており、制御装置（４）はシステム電流のＨ番目の高調波成分（ｉＮＨ）をシステム電流設定点値（ｉＮＨｒｅｆ）に調節することにより制御信号（ＳＲ）を形成する第１の制御装置（５）を有しており、ここでＨ＝１、２、３…であり、
前記制御装置（４）は、システム電圧のＨ番目の高調波成分（ｕＮＨ）を予め決定可能なシステム電圧設定点（ｕＮＨｒｅｆ）へ調節することによりシステム電流設定点値（ｉＮＨｒｅｆ）を形成する第２の制御装置（６）を有し、システム電圧のＨ番目の高調波成分（ｕＮＨ）とシステム電圧設定点値（ｕＮＨｒｅｆ）からの制御差（ｕＮＨｄｉｆｆ）はＨ番目の高調波成分に関して決定されたシステムインピーダンス（ｙＮＨ）により加重されていることを特徴とする装置。
[１１]  前記制御装置（４）はシステム電圧（ＵＮα、ＵＮβ）の空間ベクトル変換からシステム電圧（ＵＮｄ、ＵＮｑ）のパーク-クラーク変換を形成し、システム電圧（ＵＮｄ、ＵＮｑ）のパーク-クラーク変換からシステム電圧のＨ番目の高調波成分（ＵＮＨ）を形成するための第１の計算装置（７）を有していることを特徴とする前記[１０]記載の装置。
[１２]  前記制御装置（４）は、システム電圧（ＵＮα、ＵＮβ）の空間ベクトル変換を形成するための第２の計算装置（８）を有している前記[１１]記載の装置。
[１３]  前記制御装置（４）はシステム電流（ｉＮｄ、ｉＮｑ）の空間ベクトル変換からシステム電流（ｉＮｄ、ｉＮｑ）のパーク-クラーク変換を形成し、システム電流（ｉＮｄ、ｉＮｑ）のパーク-クラーク変換からシステム電流のＨ番目の高調波成分（ｉＮＨ）を形成するための第３の計算装置（９）を具備していることを特徴とする前記[１０]乃至[１２]のいずれか１項記載の装置。
[１４]  前記制御装置（４）はさらにシステム電流（ｉＮα、ｉＮβ）の空間ベクトル変換を形成するための第４の計算装置（10）を有していることを特徴とする前記[１３]記載の装置。
[１５]  システム電圧のＨ番目の高調波成分（ｕＮＨ）を予め決定可能なシステム電圧設定点値（ｕＮＨｒｅｆ）へ調節するための第２の制御装置（６）は別の１つの制御装置（11）を具備していることを特徴とする前記[１０]乃至[１４]のいずれか１項記載の装置。
【符合の説明】
【００２７】
１…ＡＣ電圧システム、２…変換器装置、３…駆動回路、４…制御装置、５…第１の制御装置、６…第２の制御装置、７…第１の計算装置、８…第２の計算装置、９…第３の計算装置、10…第４の計算装置、11…制御装置。
【図１】
0005677724.tif 000002
【図２】
0005677724.tif 000003
【図３】
0005677724.tif 000004